(57)【要約】【課題】鏡筒本体と外装カバーとを強固に締結固定し、かつ容易に組立、分解することの出来る構造を提供すること。【解決手段】筒状の第一の筒部材と、第一の筒部材の外周面を覆う筒状のカバー部材を有するレンズ鏡筒において、カバー部材は、光軸方向へ突出して形成された爪状の係合部と、係合部の先端に形成された押圧部を有し、第一の筒部材は、カムフォロワーを保持し光軸方向へ突出して形成され張出部と、カバー部材が第一の筒部材に組み付けられる時、係合部が挿入される導入部と、押圧部と当接し、カバー部材が第一の筒部材に組み付けられた状態を保持する保持部と、カバー部材が第一の筒部材に組み付けられた時、前記カバー部材の光軸周りに回転を規制する回転規制部を有し、回転規制部は光軸中心から放射方向に弾性変形を許容する貫通孔を有することを特徴とする。【選択図】図６
2017146329.tif 000002
【特許請求の範囲】
【請求項１】
筒状の第一の筒部材１１と、
前記第一の筒部材の外周面を覆う筒状のカバー部材１２と、
を有するレンズ鏡筒２において、
前記カバー部材１２は、光軸方向へ突出して形成された爪状の係合部１２ａと、
前記係合部１２ａの先端に形成された押圧部１２ｂを有し、
前記第一の筒部材１１は、カムフォロワー１３を保持し光軸方向へ突出して形成され張出部１１ａと、
前記カバー部材１２が前記第一の筒部材１１に組み付けられる時、前記係合部１２ａが挿入される導入部１１ｃと、前記押圧部１２ｂと当接し、前記カバー部材１２が前記第一の筒部材１１に組み付けられた状態を保持する保持部１１ｈと、
カバー部材１２が第一の筒部材１１に組み付けられた時、前記カバー部材１２の光軸周りに回転を規制する回転規制部１１ｅと、
を有し、
前記回転規制部１１ｅは光軸中心から放射方向に弾性変形を許容する貫通孔１１ｅを有することを特徴とするレンズ鏡筒。
【請求項２】
前記張出部１１ａと、前記導入部１１ｃ、前記保持部１１ｈ及び前記回転規制部１１ｅ、前記第一の筒部材１１の外周上の同位相に設けられたことを特徴とする請求項１に記載のレンズ鏡筒。
【請求項３】
前記第一の筒部材１１と、前記カバー部材１２が組み付けられた状態では、
前記押圧部１２ｄは光軸方向へ変形され、前記保持部１１ｈに対して押圧することを特徴とする請求項１又は請求項２に記載のレンズ鏡筒。
【請求項４】
前記第一の筒部材１１の外周に配置された第二の筒部材１００を有し、
前記第一の筒部材１１の外周面には、前記第二の筒部材１００に対して径方向へ近接するように突出し、円周上に切れ目なく設けられた凸部１１ｂを有し、
前記導入部１１ｃは、前記凸部１１ｂの一部を切り欠くことにより形成されていることを特徴とする請求項１乃至請求項３の何れか一項に記載のレンズ鏡筒。
【発明の詳細な説明】
【技術分野】
【０００１】
本発明は、主に撮像装置に備えられ、レンズを保護するためのバリア装置に関する。
【背景技術】
【０００２】
従来、撮影時に撮像装置本体から繰り出し、収納時に本体内へ沈胴する鏡筒が数々提案されている。このような機構の鏡筒では、複数の直進筒と回転筒を組み合わせて、レンズ群を光軸方向へ進退するように構成され、この沈胴機構と連動して、収納位置ではレンズ前面を覆い、使用時にはレンズ前面から退避するレンズバリア機構が様々な構成で提案されている。
【０００３】
これらのバリア機構には、鏡筒本体の先端部に化粧用の外装カバーが取り付けられる場合がある。外装カバーは、レンズ鏡筒の外観の品位を高めるうえで、ビス等の固定手段が目立たないように配慮され、一般的には、接着剤や両面粘着テープなどを用いて鏡筒本体に固定される。
【０００４】
特許文献１では、外装カバーは、外装カバーの内周面及び鏡筒本体部分の外周面に設けられたネジおよび係止片によって鏡筒本体部分に締結固定されている。
【先行技術文献】
【特許文献】
【０００５】
【特許文献１】特開２０１３−８０００１号公報
【発明の概要】
【発明が解決しようとする課題】
【０００６】
上述のように、外装カバーと鏡筒との締結において、例えば接着剤や両面粘着テープなどを用いた場合、接着面積を十分大きく設定しないと、落下時の衝撃によっても接着箇所に剥離が生じるおそれがある。また接着固定の場合、分解が必要とされたときに容易に分解することが出来ないといった問題がある。
【０００７】
また、特許文献１のネジおよび係止片による締結固定では、例えば、外装カバーに刻印や印刷を施したカバーの場合、その外観上の位相合わせが困難である。
【０００８】
そこで、本発明の目的は、鏡筒本体と外装カバーとを強固に締結固定し、かつ容易に組立、分解することの出来るレンズ鏡筒を提供することにある。
【課題を解決するための手段】
【０００９】
上記の目的を達成するために、本発明に係るレンズ鏡筒は、
筒状の第一の筒部材と、第一の筒部材の外周面を覆う筒状のカバー部材を有するレンズ鏡筒において、カバー部材は、光軸方向へ突出して形成された爪状の係合部と、係合部の先端に形成された押圧部を有し、第一の筒部材は、カムフォロワーを保持し光軸方向へ突出して形成され張出部と、カバー部材が第一の筒部材に組み付けられる時、係合部が挿入される導入部と、押圧部と当接し、カバー部材が第一の筒部材に組み付けられた状態を保持する保持部と、カバー部材が第一の筒部材に組み付けられた時、前記カバー部材の光軸周りに回転を規制する回転規制部を有し、回転規制部は光軸中心から放射方向に弾性変形を許容する貫通孔を有することを特徴とする。
【発明の効果】
【００１０】
本発明によれば、鏡筒本体と外装カバーとを強固に締結固定し、かつ容易に組立、分解することの出来るレンズ鏡筒を提供することができる。
【図面の簡単な説明】
【００１１】
【図１】本発明のレンズ鏡筒２を備える撮像装置の実施形態の一例であるデジタルカメラを正面側（被写体側）から見た斜視図である。
【図２】レンズ鏡筒２の分解斜視図である。
【図３】（ａ）、（ｂ）はそれぞれ１群キャップ１２を１群筒１１に対して組み立てる過程の斜視図、側面図である。
【図４】（ａ）、（ｂ）はそれぞれ１群キャップ１２を１群筒１１に対して組み立てる過程の斜視図、側面図である。
【図５】（ａ）、（ｂ）はそれぞれ１群キャップ１２を１群筒１１に対して組立完了した状態の斜視図、側面図である。
【図６】（ａ）は鏡筒完成状態での１群筒１１の回転規制部１１ｅと１群キャップ１２の係止爪１２ａの厚み方向の高さ関係を示した断面図、（ｂ）は１群キャップ１２を外す際の１群筒１１の回転規制部１１ｅと１群キャップ１２の係止爪１２ａの厚み方向の高さ関係を示した断面図である。
【発明を実施するための形態】
【００１２】
以下に、本発明の好ましい実施の形態を、添付の図面に基づいて詳細に説明する。
【００１３】
図１は本発明のレンズ鏡筒を備える撮像装置の実施形態の一例であるデジタルカメラを正面側（被写体側）から見た斜視図である。
【００１４】
撮像装置のカメラ本体１の前面には、撮影レンズの焦点距離を変更可能なレンズ鏡筒２が配置されている。レンズ鏡筒２の前面には、撮像装置の電源ＯＮ／ＯＦＦに従って撮影レンズの光路を開閉するレンズバリア装置が設けられている。カメラ本体１の上面には、被写体に照明光を照射するストロボ装置を構成する発光窓部３が配置されており、カメラ本体１の前面には、ファインダ窓４が設けられている。カメラ本体１の上面には、撮影準備動作（焦点調節動作、測光動作等）と撮影動作（フィルムやイメージセンサ（撮像素子）への露光）を開始させるためのレリーズボタン５が設けられている。
【００１５】
図２は図１の撮像装置が備えるレンズ鏡筒２の分解斜視図である。図２に示すように、本実施例の鏡筒においては、５群の撮影レンズ群で構成される。
【００１６】
レンズ鏡筒２は、１群レンズＬ１と、１群レンズＬ１を保持する１群ホルダ（不図示）と、１群ホルダ（不図示）を保持する１群筒１１と、２群レンズＬ２と、２群レンズＬ２を保持する２群ホルダ２１を備える。
【００１７】
また、レンズ鏡筒２は、３群レンズＬ３と、３群レンズＬ３を保持する３群ホルダ（不図示）と、４群レンズＬ４と、４群レンズＬ４を保持する４群ホルダ４１と、５群レンズＬ５と、５群レンズＬ５を保持するセンサホルダ６１とを備える。
【００１８】
１群レンズＬ１、１群ホルダ（不図示）及び１群筒１１は、１群ユニットを構成する。
【００１９】
２群レンズＬ２と２群ホルダ２１は、２群ユニットを構成する。
【００２０】
３群レンズＬ３と３群ホルダ（不図示）、３群筒３１は、３群ユニットを構成する。
【００２１】
４群レンズＬ４と４群ホルダ８２は、４群ユニットを構成する。
【００２２】
５群レンズＬ５とセンサホルダ６１は、５群ユニットを構成する。
【００２３】
１群レンズＬ１、２群レンズＬ２、３群レンズＬ３、４群レンズＬ４及び、５群レンズＬ５により、レンズ鏡筒２の撮影光学系が構成されている。
【００２４】
２群ユニットと３群ユニットの間には、シャッタユニット５０が配置される。
【００２５】
シャッタユニット５０は、一対のシャッタ羽根（不図示）が光軸に直交する面内で光路を遮光する位置と光路から退避する位置との間で移動することで、撮像素子（不図示）に結像する被写体光束を調整する。
【００２６】
センサホルダ６１はフォーカス駆動部６２及びズーム駆動部６３を支持する。
【００２７】
フォーカス駆動部６２により、４群レンズＬ４を保持する４群ホルダ８２を光軸方向に進退させることでフォーカス動作を行い、ズーム駆動部６３により、１群ユニットから３群ユニットを光軸方向に進退させることでズーム動作を行う。
【００２８】
次に、ズーム機構について、以下に説明する。
【００２９】
レンズ鏡筒２の最外周には固定筒７０が配置されており、固定筒７０の内周部には、カム溝７０ａと直進キー溝７０ｂが周方向に略等間隔で３箇所に形成されている。
【００３０】
固定筒７０の内側には回転筒８０が配置されている。
【００３１】
固定筒７０のカム溝７０ａにはそれぞれ、回転筒８０の外周部に周方向に略等間隔で３箇所に設けられたフォロワ８０ａが係合する。
【００３２】
ズーム駆動部６３は、回転筒８０を回転駆動する。
【００３３】
回転筒８０は、ズーム駆動部６３により回転駆動されると、固定筒７０に対して回転しながら、カム溝７０ａのリフトに沿って光軸方向に移動する。
【００３４】
回転筒８０の内側には、外直進筒９０が配置されている。
【００３５】
外直進筒９０の内周にはカム溝９０ｊと直進キー溝９０ａが形成され、外直進筒９０の外周部には円周溝９０ｂ、９０ｃとバヨネット爪９０ｄが形成されている。
【００３６】
また外直進筒９０にはカム溝９０ｊと同一のリフトを持った貫通カム溝９０ｋが形成されている。
【００３７】
バヨネット爪９０ｄは周方向に略等間隔で３箇所に形成されている。
【００３８】
回転筒８０の内周部には、外直進筒９０の外周部に形成された円周溝９０ｂ、９０ｃと係合する静圧突起部８０ｂ、８０ｃ、８０ｄ、８０ｅが周方向に略等間隔で３箇所ずつ形成され、バヨネット爪９０ｄと係合するバヨネット溝８０ｈが形成されている。
【００３９】
また、外直進筒９０の外周部には、固定筒７０の直進キー溝７０ｂと係合する直進キー９０ｅが形成されている。
【００４０】
よって、外直進筒９０は、回転筒８０の回転に伴って、固定筒７０の直進キー７０ｂに沿って光軸方向に直進移動する。
【００４１】
外直進筒９０の内側には、内カムカバー１００が配置されている。
【００４２】
また、内カムカバー１００の内側には、内カム筒１２０が配置されている。内カム筒１２０の内周部には、２群カム溝１２０ａ、シャッタカム溝１２０ｂ及び３群カム溝１２０ｃが周方向に略等間隔で３箇所に形成されている。
【００４３】
内カム筒１２０の外周部には、周方向に略等間隔で３箇所ずつ設けられた１群カム溝１２０ｄが形成されている。
【００４４】
また、内カム筒１２０の外周部には、周方向に略等間隔で３箇所ずつ設けられたフォロワ１２０ｆ、内カムカバー（不図示）及び駆動キー１２０ｈが形成されている。
【００４５】
内カムカバー１００には、内カム筒１２０の内カムカバー係合部（不図示）と係合する３本の係合爪（不図示）と、内カム筒１２０の駆動キー１２０ｈと嵌合する３箇所の回り止め部（不図示）が形成されている。
【００４６】
内カム筒１２０のフォロワ１２０ｆは外直進筒９０のカム溝９０ｊと係合している。
【００４７】
また、内カム筒１２０の駆動キー１２０ｈは、貫通カム溝９０ｋと所定の隙間を維持して係合し、回転筒８０の内周部に設けられた３本のキー溝８０ｊと係合している。
【００４８】
これにより、内カム筒１２０は回転筒８０と同位相で光軸周りに回転し、内カム筒１２０の回転に伴って内カムカバー１００は内カム筒１２０と一体的に光軸を中心に回転しながらカム溝９０ｊのリフトに沿って光軸方向に移動する。
【００４９】
内カム筒１２０はその内周部に直進筒１１０を相対回転可能に保持する。直進筒１１０には、直進プレート１３０が一体的に取り付けられている。
【００５０】
直進プレート１３０には、外直進筒９０の内周に設けられた直進キー溝９０ａと係合する直進キー１３０ａが形成されている。
【００５１】
また、直進筒１１０には、１群ガイドキー１１０ｂ、２群ガイド溝１１０ｃ及び３群ガイド溝１１０ｄが形成されている。直進筒１１０は、フランジ１１０ｇ及び直進プレート１３０によって内カム筒１２０に対して回転可能に保持され、光軸方向に内カム筒１２０と一体的に移動する。
【００５２】
１群筒１１の内周部には、１群フォロワ１３が周方向に略等間隔で６箇所に設けられている。
【００５３】
これら６箇所の１群フォロワ１３がそれぞれ、内カム筒１２０の外周部に設けられた６箇所の１群カム溝１２０ｄと係合し、直進筒１１０の１群ガイドキー１１０ｂにガイドされることで、１群ホルダ（不図示）と１群筒１１とが一体的に光軸方向に進退する。
【００５４】
２群ホルダ２１の外周部には、２群フォロワ２２が周方向に略等間隔で３箇所に設けられている。
【００５５】
これら３箇所の２群フォロワ２２はそれぞれ、内カム筒１２０の内周部に設けられた３箇所の２群カム溝１２０ｃと係合し、直進筒１１０の２群ガイド溝１１０ｃにガイドされることにより、２群ホルダ２１は光軸方向に進退可能に支持される。
【００５６】
シャッタユニット５０の外周部には、シャッタフォロワ５１が周方向に略等間隔で３箇所に設けられている。
【００５７】
これら３箇所のシャッタフォロワ５１はそれぞれ、内カム筒１２０の内周部に設けられた３箇所のシャッタカム溝１２０ｂと係合し、直進筒１１０の３群ガイド溝１１０ｄにガイドされることにより、シャッタユニット５０は光軸方向に進退可能に支持される。
【００５８】
３群筒３１の外周部には、３群フォロワ３２が周方向に略等間隔で３箇所に設けられている。
【００５９】
これら３箇所の３群フォロワ３２はそれぞれ、内カム筒１２０の内周部に設けられた３箇所の３群カム溝１２０ｃと係合し、直進筒１１０の３群ガイド溝１１０ｄにガイドされることにより、３群ユニットは光軸方向に進退可能に支持される。
【００６０】
次に１群筒１１、１群キャップ１２の関係について詳しく説明する。
【００６１】
図３、図４、図５は１群キャップ１２が、１群筒１１に対して係合する状態を示した斜視図、側面図である。図３、図４は１群キャップ１２が１群筒１１に対して組立される過程の状態、図５は１群キャップ１２が、１群筒１１に対して組立完了した状態の図である。
【００６２】
本実施例の１群筒１１には、３つのカムピン１３が、１群筒１１の後端に突出した張出部１１ａに設置されている。このようにカムピン１３を後方に突出した張出部１１ａを設ける理由は、沈胴状態において、カムピン１３と内カム筒１２０のフォロワ１２０ｆと光軸方向に垂直な面で同一面上に配置することで、鏡筒ユニットの小型化を図るためである。
【００６３】
また、１群筒１１には、内カムカバー１００の内径とインロー構成をとるための円周状の凸部１１ｂがある。この凸部１１ｂは、内カムカバー１００の内径と近接するように設定されているため、内カムカバー１００と１群筒１１の隙間から光線が鏡筒内部に侵入することを防止する。凸部１１ｂが１群筒１１の光軸周りに全周切れ目なく繋がっていることは、鏡筒ユニットの遮光性を保つのに重要であり、例えば、一部でも凸部１１ｂに切り欠きを有していると、その箇所から光線が鏡筒内部に侵入する可能性がある。本実施例では、１群キャップ１２の係止爪１２ａが挿入される導入部１１ｃは、凸部１１ｂに対して一部凹形状を成して形成しているが、張出部１１ａの配置された部分に設けられているため、凸部１１ｂが全周切れ目なく繋がるように構成されている。
【００６４】
また、導入部１１ｃには斜面１１ｄを有した回転規制部１１ｅが形成されており、かつ、回転規制部１１ｅの形状に沿って貫通孔１１ｆが設けられ、光軸中心から放射方向にばね性を有した構造となっている。
【００６５】
１群キャップ１２の係止爪１２ａの先端には、押圧部１２ｂがある。図３の状態から１群キャップ１２を光軸方向に係合させると、係止爪１２ａが光軸中心から放射方向に撓みながら斜面１１ｄに乗り上げる。更に１群キャップ１２を光軸方向に組み込んでいくと、係止爪１２ａが回転規制部１１ｅに乗り上げ、図４の状態になる。
【００６６】
図４の状態から１群キャップ１２を反時計回りに回転させると、押圧部１２ｂが斜面１１ｇと当接しながら、光軸方向へ撓む。さらに１群キャップ１２を回転させると、図５のように、押圧部１２ｂが凹部１１ｈに嵌った状態となり、１群キャップ１２が保持される。また、係止爪１２ａは、回転規制部１１ｅを乗り越えて、所定の隙間ｄを有して回転規制部１１ｅと並列した状態となる。この状態で、押圧部１２ｂは凹部１１ｈに対して押圧された状態で保持される。この時、１群キャップ１２の１群筒１１に対する位置は、１群キャップ１２の先端と１群筒１１の先端部との当接により決まり、係止爪１２ａが撓むことで、凹部１１ｈへの押圧を行う。係止爪１２ａが撓み、押圧された状態なので、１群キャップ１２の１群筒１１に対する位置はガタが無く決まる。
【００６７】
しかし、１群キャップ１２は１群筒１１に対してガタ無く保持されているが、例えば、押圧部１２ｂが塑性変形する程の過度な力を加えて１群キャップ１２を反時計回りに回転させると、凹部１１ｈから押圧部１２ｂが外れ１群キャップ１２が外れてしまう。
【００６８】
これを防ぐため、係止爪１２ａと回転規制部１１ｅの隙間ｄを適正に管理し、係止爪１２ａを回転規制部１１ｅの端面１１ｉで押圧させることで、１群キャップ１２と１群筒１１の回転方向のガタを抑制する第２のストッパーとして働き、また、押圧部１２ｂが塑性変形する前に係止爪１２ａを回転規制部１１ｅに押圧させることで押圧部１２ｂの破損を防ぐことができる。
【００６９】
このように構成されるので、例えば、１群筒１１先端に設けられたバリア機構の羽根走行スペースがガタによって変化することが無く、安定した動作が可能である。
【００７０】
さらに、１群キャップ１２が１群筒１１に組まれた図５の状態では、１群キャップ１２を外そうとする外力が光軸方向へ加わったとしても、係止爪１２ａの押圧部１２ｂが抜け止めとなっているので容易に脱落することはない。また、１群キャップ１２を外そうとする外力が回転方向へ加わったとしても、係止爪１２ａの押圧部１２ｂが凹部１１ｈに対し、適度な力で押圧された状態なので、容易に脱落することはない。更に、過度な力で１群キャップ１２を外そうとする外力が回転方向へ加わったとしても、係止爪１２ａが回転規制部１１ｅの端面１１ｉに押圧されストッパーとして機能するため、容易に脱落することはない。
【００７１】
次に、１群キャップ１２を１群筒１１から分解する方法について以下に説明する。
【００７２】
通常、１群キャップ１２を取り外すことは無いが、レンズバリア装置２や１群レンズＬ１の不調等により交換が必要になった場合、１群キャップ１２を取り外すことがある。しかし、前述したように、１群キャップ１２は１群筒１１から容易に取り外すことが出来ない構造になっている。
【００７３】
図６は回転規制部１１ｅと係止爪１２ａの厚み方向の高さ関係を示した図である。図６（ａ）は１群キャップ１２を１群筒１１から取り外す前の状態、図６（ｂ）は１群キャップ１２を１群筒１１から取り外す際の状態を示している。
【００７４】
図６（ａ）に示した状態から回転規制部１１ｅを冶具等を用いて半径方向に荷重Ｆで押し付けると、弾性力の働きで回転規制部１１ｅは撓み、図６（ｂ）に示す状態になる。
【００７５】
この状態で、１群キャップ１２を時計周りに回転させると、係止部１２ａは端面１１ｉに当接することなく回転規制部１１ｅに乗り上げる。さらに１群キャップ１２を回転させると、係止爪１２ａが回転規制部１１ｅに乗り上げ、図４の状態になる。
【００７６】
図４の状態から１群キャップ１２を光軸方向に引き抜く事で容易に１群キャップ１２を分解することが可能になる。
【００７７】
このように、通常使用状態では、回転規制部１１ｅは１群キャップ１２が外れないようにするためのストッパーとして機能しており、また、１群キャップ１２を取り外す際は、回転規制部１１ｅを光軸中心から放射方向に押し付けることで容易に取り外すことが可能である。
【００７８】
本実施例では、係止爪１２ａが挿入される導入部５１ｆと回転規制部１１ｅを設けるにあたり、導入部５１ｆが張出部１１ａの配置された部分に設けられている。よって、係止爪１２ａを設けるために、外観面を短縮する必要もなく、小型化の障害にもならない。
【００７９】
また、本実施例では、回転規制部は３箇所ある導入部５１ｆのうち１箇所にのみ配置したが、これに限られる必要はなく複数箇所に配置してもよい。
【００８０】
以上、本発明の好ましい実施形態について説明したが、本発明はこれらの実施形態に限定されず、その要旨の範囲内で種々の変形及び変更が可能である。
【００８１】
なお、本発明はその好適な実施形態に基づいて詳述してきたが、本発明はこれら特定の実施形態に限られるものではなく、材質、形状、寸法、形態、数、配置箇所等は、本発明の要旨を逸脱しない範囲において適宜変更可能である。
【符号の説明】
【００８２】
１１  １群筒、１１ａ  張出部、１１ｃ  導入部、１１ｄ  斜面、１１ｅ  回転規制部、
１１ｆ  貫通孔、１１ｇ  斜面、１１ｈ  凹部、１１ｉ  端面、１２  １群キャップ、
１２ａ  係止爪、１２ｂ  押圧部
【図１】
2017146329.tif 000003
【図２】
2017146329.tif 000004
【図３】
2017146329.tif 000005
【図４】
2017146329.tif 000006
【図５】
2017146329.tif 000007
【図６】
2017146329.tif 000008